(57)【要約】【課題】  自動取引装置から回収した複数の紙幣カセットを効率的に仕分け処理する紙幣処理システムを提供する。【解決手段】  現金センタに設置された複数の紙幣仕分け装置と、店舗に設置され取り外し可能な紙幣カセットを有する自動取引装置とからなり、その紙幣カセットを用いて自動取引装置と紙幣仕分け装置との間で紙幣の受け渡しを行う紙幣処理システムにおいて、自動取引装置は紙幣仕分け装置によって仕分けられた紙幣が装填された紙幣カセットを取り付けて運用を開始し、紙幣仕分け装置は内部の紙幣枚数が確定した状態で自動取引装置から回収した複数の紙幣カセット内の紙幣を複数の紙幣仕分け装置による並列処理にて仕分け処理を行うように構成した。【選択図】  図１
2020149169.tif 000002
【特許請求の範囲】
【請求項１】
現金センタに設置された複数の紙幣仕分け装置と、店舗に設置され取り外し可能な紙幣カセットを有する自動取引装置とからなり、前記紙幣カセットを用いて前記自動取引装置と前記紙幣仕分け装置との間で紙幣の受け渡しを行う紙幣処理システムであって、
前記自動取引装置は、前記紙幣仕分け装置によって仕分けられた紙幣が装填された紙幣カセットを取り付けて運用を開始し、
前記紙幣仕分け装置は、内部の紙幣枚数が確定した状態で前記自動取引装置から回収した複数の紙幣カセット内の紙幣を、複数の前記紙幣仕分け装置による並列処理にて仕分け処理を行うことを特徴とする、紙幣処理システム。
【請求項２】
請求項１に記載の紙幣処理システムであって、
前記紙幣仕分け装置は、仕分け処理を行った紙幣を前記紙幣カセットに装填する際に、その紙幣カセットの識別情報と装填される紙幣の金種情報と枚数情報、各々の紙幣の記番号情報、仕分け処理情報を前記紙幣カセットの記憶部に記憶することを特徴とする、紙幣処理システム。
【請求項３】
請求項２に記載の紙幣処理システムであって、
前記記番号情報は、前記紙幣カセットの識別情報と関連付けてサーバ装置へ記憶させることを特徴とする、紙幣処理システム。
【請求項４】
請求項３に記載の紙幣処理システムであって、
前記紙幣仕分け装置は仕分け済み紙幣を所定の枚数単位に束巻紙で束ねる束巻部を有し、束巻紙へ束巻単位に識別コード情報を印字することを特徴とする、紙幣処理システム。
【請求項５】
請求項１〜４のいずれかに記載の紙幣処理システムであって、
前記紙幣カセットを前記自動取引装置へ装填すると、前記自動取引装置は前記紙幣カセットの記憶部の情報を読み取って金種と枚数情報と記番号情報を設定することを特徴とする、紙幣処理システム。
【請求項６】
請求項５に記載の紙幣処理システムであって、
前記自動取引装置に設定される記番号情報は、前記サーバ装置に記録された情報を用いて設定されることを特徴とする、紙幣処理システム。
【請求項７】
請求項１〜６のいずれかに記載の紙幣処理システムであって、
前記紙幣仕分け装置は、前記紙幣カセットを接続すると仕分け処理を開始することを特徴とする、紙幣処理システム。
【請求項８】
請求項１〜７のいずれかに記載の紙幣処理システムであって、
前記紙幣カセットはその扉の開閉検知部を有していることを特徴とする、紙幣処理システム。
【発明の詳細な説明】
【技術分野】
【０００１】
本発明は、紙幣処理システムに係り、特に金融機関等に設置された現金自動取引装置（ＡＴＭ）と現金センタに設置された紙幣仕分け装置との間における、紙幣の補充回収・精査、仕分け等の紙幣処理システムに関する。
【背景技術】
【０００２】
金融機関に設置されたＡＴＭでは、内部の紙幣が不足すると現金センタにて用意された補充用現金が警送会社等によって配送されＡＴＭへ装填される。また、ＡＴＭ内部で過剰となった紙幣は、同様に警送会社等によって現金センタへ回収される。
【０００３】
現金センタでは、紙幣仕分け装置等によって補充用紙幣を必要な金種及び数量を計数してＡＴＭ用の紙幣カセットへ装填し、警送会社等によってカセットごと搬送されＡＴＭへ装填される。
【０００４】
また、ＡＴＭから回収された紙幣は、ＡＴＭのカセットに装填したまま現金センタへ配送され、紙幣仕分け装置等によってトータル枚数の確認、金種や紙幣の正損分離（傷んだ紙幣を分類）等を行い、再利用不可能な紙幣については中央銀行へ返却する等の処理を行っている。
【０００５】
従来、この種の発明としては例えば特許文献１に記載のものがあり、銀行本店や現金センタで管理される大量の紙幣を、記番号を利用して管理することが記載されている。
【先行技術文献】
【特許文献】
【０００６】
【特許文献１】特開２０１５−５６０１０号公報
【発明の概要】
【発明が解決しようとする課題】
【０００７】
特許文献１に記載の技術では、現金センタで紙幣を装填する際に、どの紙幣カセットにどの記番号の紙幣を装填したかがわかるような仕組みが記述されているが、ＡＴＭにセットして以降の紙幣の管理ができず、例えば、出金時の２枚繰り出しなどが起きると、ＡＴＭ単位での紙幣枚数は確定できたとしても、各々の紙幣カセット内の紙幣枚数を確定することができない。そのため、現金センタに紙幣カセットが戻ってきた時には、まず、ＡＴＭ毎で枚数が合っているか精査をした後に、紙幣の仕分けを行う必要がある。
ＡＴＭ毎に枚数が合っているか精査する際には、ＡＴＭの複数のカセット（複数の金種）を１台の仕分け装置（ソータ）で精査するため、作業の効率が悪くなっている。また、紙幣を精査して、その後、仕分けするという２段階の作業が必要となり、同じ紙幣を何度も数える必要があり、作業の効率化が求められている。
【課題を解決するための手段】
【０００８】
現金センタに設置された複数の紙幣仕分け装置と、店舗に設置され取り外し可能な紙幣カセットを有する自動取引装置とからなり、その紙幣カセットを用いて自動取引装置と紙幣仕分け装置との間で紙幣の受け渡しを行う紙幣処理システムにおいて、自動取引装置は紙幣仕分け装置によって仕分けられた紙幣が装填された紙幣カセットを取り付けて運用を開始し、紙幣仕分け装置は内部の紙幣枚数が確定した状態で自動取引装置から回収した複数の紙幣カセット内の紙幣を、複数の紙幣仕分け装置による並列処理にて仕分け処理を行うように構成した。
【発明の効果】
【０００９】
本発明によれば、紙幣カセット単位で収納紙幣の枚数が確定されているため、現金センタにおいて、紙幣カセット単位で複数の装置で仕分けを並行して実施することができ、紙幣の計数、仕分けを効率よく実施することができる。
【図面の簡単な説明】
【００１０】
【図１】本発明の紙幣処理システムのコンセプトを説明する図
【図２】本発明の紙幣処理システムで用いる紙幣仕分け装置の図
【図３】本発明の紙幣処理システムで用いる紙幣仕分け装置の図
【図４】本発明の紙幣処理システムで用いる紙幣仕分け装置の図
【図５】本発明の紙幣処理システムで用いる紙幣仕分け装置の図
【発明を実施するための形態】
【００１１】
１．本紙幣処理システムの全体構成
図１は本発明に係る紙幣処理システムの全体構成である。大まかな運用の流れとしては、現金センタにて紙幣カセットへの紙幣を装填し、警送会社等によってその紙幣カセットを銀行店舗の自動取引装置（ＡＴＭ）３１０へ配送して紙幣（カセット）を装填する紙幣装填処理（Ａ）と、ＡＴＭ３１０内の紙幣（カセット）を回収し、警送会社等によって現金センタ１００へ配送後、紙幣仕分け装置（ソータ）１１０にて金種や正損を分類する紙幣回収仕分け処理（Ｂ）に分類される。
（Ａ）紙幣装填処理
現金センタ１００では銀行支店３００の自動取引装置（ＡＴＭ）３１０へ装填させる紙幣を準備するため、紙幣１１１を紙幣仕分け装置（ソータ）１１０を用いて、ＡＴＭ３１０内の紙幣カセット１２０単位に金種・数量毎に仕分けする。このとき、ソータ１１０の紙幣鑑別部によって仕分けされた紙幣１枚毎の記番号が読み取り・記憶されており、仕分けされた紙幣が紙幣カセット１２０へ装填されると同時に、紙幣カセット１２０が備える記憶装置１２１（例えばＲＦＩＤ等）へそのカセットに装填される紙幣の金種、枚数、各々の紙幣の記番号、仕分け情報（仕分けをした作業員名、仕分け日、カセットへ装填した作業員名、カセットへ装填した日など）がソータ１１０と紙幣カセット１２０間の無線通信等を介して記憶される。
【００１２】
仕分け処理した紙幣は係員によって手作業で紙幣カセット１２０へ装填される。もしくは、ソータと紙幣カセットとを接続させてソータから直接紙幣カセットへ仕分け済み紙幣を装填させることもできる
なお、紙幣カセット１２０の記憶装置１２１へ上述の情報を記憶させる代わりに、サーバ２００へカセットを識別するＩＤと共に記憶させてもよい。具体的には、ソータ１１０によって仕分け処理がなされた際に、仕分けされた所定の枚数単位（例えば１００枚）に、ソータ１１０の紙幣束巻部によって束巻きを行い、その束巻紙へ固有の二次元バーコードを印字する。係員が束を解いて紙幣カセット１２０へ紙幣を装填する際に別途用意した読取装置で二次元バーコードを読み取って、二次元バーコードと紙幣カセットの識別ＩＤとを関連付けて再度サーバ２００へ記録することも可能である。
【００１３】
このようにして紙幣が装填された紙幣カセット１２０は、警送会社等によって各銀行支店３００に向けて配送され、ＡＴＭ３１０内へ装填される。この間、紙幣カセット１２０は開扉できないように管理されており、また、紙幣カセット単位に内部の紙幣１枚毎の記番号１２１ａや仕分け・装填に関わった作業員に関する詳細情報が記録されるため、後に紙幣の違算等が発生した場合においてもその事象を詳細にトレースすることができる。
【００１４】
ＡＴＭ３１０に紙幣カセット１２０を装填すれば、ＡＴＭ３１０は紙幣カセット１２０のＲＦＩＤなどの記憶装置１２１に記憶された金種情報、枚数、記番号情報などを得ることができる。
【００１５】
これらの紙幣情報は、紙幣カセットを識別するカセットＩＤを元に、サーバ２００からＡＴＭ３１０にダウンロードするようにしてもよい。
【００１６】
また、ソータ１１０と紙幣カセット１２０を連結させ、人手を介さずソータ１１０から直接紙幣カセット１２０へ紙幣を装填することもできる。これによって、紙幣カセットへの紙幣装填時に作業員が紙幣を直接触ることがないため、作業員による紙幣の抜き取り等の不正行為を防止することが可能である。
（Ｂ）紙幣回収仕分け処理
本発明のＡＴＭ３１０では、入金・出金取引中における搬送紙幣の記番号は全て管理されており、紙幣搬送中のジャム等が発生した場合においても、各紙幣カセット１２０内部の紙幣枚数は確定させることができる。例えば、出金取引時には予め記録しておいた紙幣カセット内の記番号の連続性をチェックして、連続性が途絶えた場合は前後紙幣の記番号などから、何枚繰り出したかを確定させることができる。これらの枚数や記番号情報は、カセットのＲＦＩＤなどの記憶装置１２１に記憶される。もしくは個々のＡＴＭにて管理され、カセットの識別情報と共に、サーバ２００において、管理されても良い。
【００１７】
抜き取られた紙幣カセット１２０の記憶装置１２１には、そのＡＴＭの識別番号（ＡＴＭ−ＩＤ）、金種、枚数、抜き取った係員ＩＤ、抜き取り作業をした日が記憶されている。紙幣カセット内紙幣の記番号３１２は紙幣カセットの記憶装置１２１に記憶されているが、識別情報に紐付けしてサーバ２００へ記憶されていても良い
抜き取られた紙幣カセットは警送会社等によって現金センタへ運ばれ、仕分け作業を行う。上述のように、各カセット毎の枚数が確定しているので、ＡＴＭに収容されていた複数のカセット間で、ＡＴＭ毎の金額を確定させるための事前の計数が不要となる。このため、複数のカセットを複数の仕分け装置を用いて並行処理が可能となる。
【００１８】
仕分け処理は現金センタの係員が紙幣カセットから抜き出した紙幣を紙幣仕分け装置のホッパにセットしてもよいし、紙幣カセットのまま、紙幣仕分け装置とドッキングさせることによって、係員が紙幣カセット内の紙幣に直接手を触れることなく、仕分け処理を行うこともできる。
２．各装置の構成
次に、本発明の紙幣処理システムに係る各装置の構成について説明する。
（１）紙幣仕分け装置
図２は本発明に係る紙葉類仕分け装置１１０の外観鳥瞰図である。仕分けの対象となる紙幣束は入金部（ホッパとも称する）１１５にセットされ、装置内に１枚ずつ引き込まれて予め設定された仕分けルール（例えば金種等）に基づいて装置内の鑑別装置等で分類され、スタッカ（ポケットとも称する）１１１〜１１４へ仕分けられて排出される。
【００１９】
スタッカ１１１〜１１４は前面が開放されており、係員等が手を挿入して仕分けられた紙幣を取り出すことができる。また、仕分けの過程において仕分け不能と判定された紙幣はリジェクト部１１６〜１１７へ排出される。
【００２０】
図３は紙幣仕分け装置１１０の内部構造図である。図２と同じ部位には同一の参照番号を付与している。ホッパ１１０にセットされた紙幣は下端側から一枚ずつ装置内へ引き込まれ、鑑別部１１８にて紙幣の金種や状態（損傷状態、向き、表裏等）を鑑別された後、搬送路１１９を経て各スタッカ１１１〜１１４へ搬送される。鑑別部１１８では紙幣の記番号を読み取って装置内に一時的に記憶したり、通信機能により外部のサーバー装置等へ仕分け処理した紙幣の記番号情報を送信することができる。
【００２１】
また、図４に示すように、紙幣仕分け装置１１０は入金部１１５に代えてＡＴＭの紙幣カセット１２０を接続して紙幣を取り込む紙幣カセット入力接続部１１Ａを有している。
【００２２】
また、仕分け済みの紙幣をＡＴＭの紙幣カセットを接続して直接装填したり、仕分け済みの紙幣を所定の枚数単位に束を巻く束巻ユニットを接続する外部ユニット接続部を有している。図５は外部ユニット接続部１１Ｂを介して束巻ユニット１１Ｃを接続した状態を示す図である。
【００２３】
また、仕分け結果情報をＡＴＭの紙幣カセットに設けたＲＦＩＤへ書き込むための無線通信機能を有している。
（２）自動取引装置
本発明の自動取引装置は取引を行う利用者が操作することによって紙幣の入出金等を行うことができるものであって、金種別の取り外し可能な紙幣カセットが複数個備えられている。入金取引時には紙幣入出金口から入金された紙幣が鑑別部にて金種や真偽、正損（紙幣の傷み程度）を鑑別されると共に紙幣の記番号が読み取られ記録される。鑑別結果に基づく入金金額を利用者に確認し、問題なければ金種別の紙幣カセットへ搬送される。
【００２４】
また、出金取引時には利用者によって指定された金額に基づいて所定の金種の紙幣カセットから必要な枚数の紙幣が出金され、鑑別部によって金種や真偽・正損、記番号が確認され払い出し可能と判断された紙幣は入出金口へ搬送され、払い出し不可と判断された紙幣は一時保管庫に一旦格納された後、所定のタイミングでリジェクト紙幣用カセットに搬送される。紙幣搬送系の構成によっては、一時保管庫を介さずに直接リジェクト紙幣用カセットへ搬送させることもできる。
【００２５】
本自動取引装置は上述のように装置内部の全紙幣の記番号情報が管理されており、どの紙幣カセットにどのような記番号の紙幣がどのような順序で格納されているかが常にわかるようになっている。このため、本自動取引装置は紙幣カセット内の紙幣枚数は常に確定した状態を維持することができる。すなわち、紙幣カセット内の枚数が不確定となりうる事象（例えば紙幣ジャムやカセットからの２枚繰り出しなど）が発生したとしても、上述のように厳格に管理された記番号情報を用いて、その前後の紙幣の情報から、紙幣カセット内の紙幣枚数を確定させることができる。
【００２６】
紙幣カセットには記憶装置としてのＲＦＩＤ（Radio frequency identifier）が内蔵されており、自動取引装置との間で情報のやり取りを行うことができる。また、紙幣仕分け装置との間でも情報のやり取りを行うことができる。さらに、紙幣カセットは紙幣装填用扉の開閉検知機能を有しており、カセット運搬時等の不正な扉開を検知することが可能である。
【００２７】
自動取引装置は、紙幣カセットの装填時に紙幣カセットのＲＦＩＤに記憶されている記番号情報を読み取って装置内の情報としてアップロードすることができる。また、記番号情報がサーバに記憶されている場合、紙幣カセットを自動取引装置へセットした際にサーバから記番号情報をダウンロードすることができる。すなわち、紙幣カセットを自動取引装置へセットすると、自動取引装置は紙幣カセットの識別情報（カセットＩＤ）をキーとしてサーバに対して紙幣情報をリクエストし、サーバではカセットＩＤに紐付けて記憶している記番号情報へアクセスして自動取引装置へその内容を送信する。
【００２８】
また、係員によって自動取引装置から紙幣カセットを取り出して回収する際には、自動取引装置の識別情報、金種、枚数、回収した係員の識別情報、回収日などの情報をＲＦＩＤへ書き込むこともできる。
【符号の説明】
【００２９】
１００：現金センタ
１１０：紙幣仕分け装置
１２０：紙幣カセット
２００：サーバ
３００：銀行支店
３１０：自動取引装置
【図１】
2020149169.tif 000003
【図２】
2020149169.tif 000004
【図３】
2020149169.tif 000005
【図４】
2020149169.tif 000006
【図５】
2020149169.tif 000007